(57)【特許請求の範囲】
【請求項１】
熱媒体を患者に供給する温度調節装置であって、
ほぼ平らな形状の第１の材料層と、
ほぼ平らな形状の第２の材料層であって、前記第１の材料層と当該第２の材料層とはいくつかの部分で接合されて、一対の伸長部分を当該伸長部分の間に患者を置くことができるような空間が空く形で形成すると共に、両者の間に膨脹型媒体供給スペースを形作っている、という第２の材料層と、
温度調整された媒体を受け入れるために前記媒体供給スペースに接続されている吸入部分と、
温度調整された媒体を患者に供給するよう、前記一対の伸長部分に設けられた複数の開口部と、そして、
前記第１の材料層と前記第２の材料層とによって形成された分割されたカバー部分であって、前記伸長部分の一方の側面から外に向けて伸びており、分割されたカバー部分を折り曲げた場合に患者と前記１対の伸長部分の各々とが覆われるだけの長さを有するカバー部分と、を有し、
分割されたカバー部分の一部を開くことで、患者の体の一部を選択的に露出させることができること、
を特徴とする調節装置。
【請求項２】
前記一対の伸長部分の間を延びる、膨張しない性質を有する、患者の下に敷くストリップ部分、を更に有すること
を特徴とする請求項１に記載の調節装置。
【請求項３】
前記複数の開口部は開いたアパーチャであり、異なる面積を有すること
を特徴とする請求項２に記載の調節装置。
【請求項４】
前記の、膨張しない性質を有する、患者の下に敷くストリップ部分は、第１及び第２の材料層で形成されること、
を特徴とする請求項２に記載の調節装置。
【請求項５】
前記１対の伸長部分は、内部で二股に分かれて内側室と外側室とになっており、内側室のみが前記複数の開口部を有すること
を特徴とする請求項１に記載の調節装置。
【請求項６】
前記第１の材料層と前記第２の材料層とが更に接合されて、ヘッダ部分を形作り、前記１対の伸長部分は当該ヘッダ部分の端部の所に位置づけられていること
を特徴とする請求項１に記載の調節装置。
【請求項７】
前記伸長部分の各々が、前記ヘッダ部分の別々の端部から直線的に伸びていること
を特徴とする請求項６記載の調節装置。
【請求項８】
前記カバー部分は複数のフラップ部分から成ること
を特徴とする請求項１に記載の調節装置。
【請求項９】
前記複数の開口部は、第１の複数開口部及び第２の複数開口部から成り、前記第１の複数開口部は、前記第２の複数開口部より小さくなっていること、
を特徴とする請求項１に記載の調節装置。
【請求項１０】
前記第１の複数開口部は、前記第２の複数開口部に比べ、前記吸入部分により近い位置に配置されており、低流量の熱媒体が前記第１の複数開口部を経て前記患者に供給され、高流量の熱媒体が前記第２の複数開口部を経て前記患者に供給されること、
を特徴とする請求項９に記載の調節装置。
【請求項１１】
前記第１の複数開口部及び前記第２の複数開口部の大きさは、前記１対の伸長部分に沿っての温度傾斜が最小限となるように決められること
を特徴とする請求項１０に記載の調節装置。
【請求項１２】
前記第１の材料層及び前記第２の材料層の少なくとも一方は、外部表面層とコーティング層とを有すること
を特徴とする請求項１に記載の調節装置。
【請求項１３】
前記外部表面層は、スパンボンド部材から成ること
を特徴とする請求項１２に記載の調節装置。
【請求項１４】
前記外部表面層は、スパンボンドポリプロピレンから成ること
を特徴とする請求項１３に記載の調節装置。
【請求項１５】
前記コーティング層は、ポリエチレンから成ること
を特徴とする請求項１４に記載の調節装置。
【発明の詳細な説明】
【０００１】
発明の背景
【０００２】
発明の分野
本発明は、患者熱処置用の改良型の温度調節装置に関する。より詳しく言えば、本発明は、温度調節された媒体に患者を浸すための膨張式装置に関する。このような治療装置は、低体温又は体温異常の症状が表れた患者の医学的処置、あるいは外科的処置を受けている患者の体温維持を目的に使用される。
【０００３】
関連技術の説明 患者熱処置用の従来のシステムには、いくつかの不都合がある。先ず、患者熱処置用の従来のシステムを使って患者の体に熱媒体を行き渡らせる場合、システムが邪魔になって患者の体へ触れることが難しくなる。次の、患者熱処置用の従来のシステムは、製造に困難が伴なう。これは、時間のかかり、労働集約的でコストのかかる多数の部分から成っているため、部品を組み立ててシステムを完成させるまでの製造過程が高コストになるからである。最後に、患者熱処置用の従来のシステムは、患者の治療における熱効率が悪い。従来の患者熱処置システムを用いた場合、熱処置装置内にいる患者は、大きな熱勾配にさらされることとなり、ホットスポットが生じたり、あるいは逆に、冷たい部分ができるなどして、望ましくない状況となる。
【０００４】
そこで、コストが低く、製造が容易で、柔軟な操作性を有し、より均等な温度治療を提供するような、改良型の患者治療用温度調節装置が必要となっている。
【０００５】
本発明のサマリー
そこで、本発明は、先行技術に見られる問題点又は不都合のうち１つ以上を、実質的に解消するような、患者治療用の改良型温度調節装置を目指す。
【０００６】
本発明は、安価な、患者治療用の改良型温度調節装置を提供することを目的としている。
【０００７】
本発明は、また、製造が容易な、患者治療用の改良型温度調節装置を提供することを目的とする。
【０００８】
本発明は、また、使用に先立つ状態ではコンパクトに格納することが可能な、患者治療用の改良型温度調節装置を提供することを目的とする。
【０００９】
本発明は、また、柔軟な操作性を有する、患者治療用の改良型温度調節装置を提供することを目的とする。
【００１０】
本発明は、また、より均一な温治療を提供する、患者治療用の改良型温度調節装置を提供することを目的とする。
【００１１】
さらなる特徴および効果については、これ以降の説明の中で述べることとする。部分的には、説明の内容から明らかになるであろうが、発明の実行によって理解することとしてもよい。また、発明の目的と効果とは、文章による説明、本文書中の特許請求の範囲、並びに添付の図面によって特に指摘される構成によって、理解され、達成されるであろう。
【００１２】
これらの、及びその他の効果を達成するために、そして、発明の目的にかなうように、具体化しつつ、しかも概括的に説明している通り、本発明は、熱媒体を患者に供給するための温度調節装置を考案しており、当該装置は、ほぼ平らな形状で第１及び第２の複数開口部を有する第１の材料層（第１の複数開口部は、第２の複数開口部よりも小さくなっている）と、ほぼ平らな形状の第２の材料層（第１の材料層と第２の材料層とは何ヵ所かの部分で接合されて、両者の間に、温度調節された媒体を受け入れるための膨脹型媒体供給スペースを形作っている）と、そして、温度調整された媒体を受け取るように媒体供給スペースに接続されているとともに第２の複数開口部よりも第１の複数開口部に近い位置に配置されている吸入部分とを有し、低流量の熱媒体が第１の複数開口部を通って患者に供給される一方、低流量の熱媒体が第２の複数開口部を通って患者に供給される。
【００１３】
また、別の観点から言えば、本発明は、熱媒体を患者に供給するための温度調節装置を考案しており、当該装置は、ほぼ平らな形状の第１の材料層と、ほぼ平らな形状の第２の材料層（第１の材料層と第２の材料層とはいくつかの部分で接合され、両者の間に膨張型の中間供給スペースを形作っている）と、温度調整された媒体を受け取るように媒体供給スペースに接続されている吸入部分と、温度調節された媒体を患者に供給する複数の開口部と、第１及び第２の材料層から形成されたカバー部分とを有し、カバー部分は、調整装置内の患者の体の少なくとも一部分を覆うように調整されている。
【００１４】
なお、言うまでもないことだが、上記のおおまかな説明、及び、これ以降に記す詳細な説明は、例として内容理解の便宜のために示しているだけである。
【００１５】
好適な実施の形態の詳細な説明
以下、本発明の好適な実施の形態について、詳細を述べていく。実施の形態の実例を、添付の図面に図示する。例えば、図１Ａは、本発明に関わるところの、熱媒体を患者に供給するための温度調節装置の好適な実施の形態を、ふくらまされた状態で示す等角投影図である
【００１６】
当該温度調節装置は、おおよその構成として、第１の材料層と第２の材料層とを有し、これらは各々、ほぼ平らな形状を有している。第１の材料層１１０及び第２の材料層１２０は、いずれかの適切な材料から製造すればよい。例えば、第１の材料層１１０及び第２の材料層１２０は、膨脹させやすく、患者の体に接触させるのに適した、何らかの非透水性の柔らかな部材で製造することができる。第１の材料層、第２の材料層は各々、患者の体に接触する柔らかい外部表面層と膨脹させるために必要な非透過性を実現するためのコーティング層とから構成されるのが望ましい。
【００１７】
温度調節装置の２つの材料層は、所望の部分において接合され、膨張型の中間供給スペースを形作っている。具体的には、図１Ａに示すように、第１の材料層１１０と第２の材料層１２０とは接合エリア１４０で接合され、膨張型の中間供給スペース１０２が形作られている。さらに、温度調節装置は、中間供給スペースに接続されて温度調節されて媒体を受け入れる吸入部分を含む。図１Ａ示す通り、温度調節装置１００は、熱媒体供給ホース１６５と協動する吸入部分１５０と、中間供給スペース１０２をふくらませるための熱媒体供給ユニット１６０（図示せず）とを有する。また、温度調節装置１００は、温度調節された媒体を患者に供給するための複数の開口部１３０を有する。そしてさらに、温度調節装置１００は、調整装置１００内の患者の少くとも一部分を覆うようにされたカバー部分１７０を含む。カバー部分１７０は、いずれかの適切な材料から製造すればよい。例えば、カバー部分１７０は、何らかの熱絶縁材料から製造することができる。カバー部分１７０は、第１の材料層１１０及び第２の材料層１２０から作ることが望ましい。
【００１８】
また、温度調節装置はさらに、接合されてヘッダ部分を形作る第１及び第２の材料層と、そして、媒体供給空間の一部として、ヘッダ部分のそれぞれの端部に配置された一対の伸長部分とを有することが望ましい。例えば、図１Ａに示す装置では、第１の材料層１１０と第２の材料層１２０とが接合エリア１４０で接合されてヘッダ部分１０４、左伸長部分１０６、右伸長部分l０８を形作っている。温度調節装置は、各々がヘッダ部分の別々の端部から直線的に伸びる２つの伸長部分を含む。図１Ａに図示してあるのは、その一例であり、左伸長部分１０６と右伸長部分１０８とが、それぞれヘッダ部分１０４の別々の端部から伸びている。さらに、本発明の目的にかなった形で熱媒体を患者に供給する温度調節装置は、一対の伸長部分に配置された複数の開口部と、ヘッダ部分の所に位置する吸入部分とを有する。具体的には、図１Ａに示すように、複数の開口部１３０が左伸長部分１０６及び右伸長部分１０８に沿って縦方向に広がっている。また、吸入部分１５０は、ヘッダ部分１０４の中央に配置することが望ましい。また、留意すべきこととして、複数の開口部１３０と吸入部分１５０との間には数インチの間隔をおき、吸入部分１５０に注入される流体に、患者が直接さらされることのないようにしなければならない。複数の開口部１３０と吸入部分１５０との間隔は３インチ以上とすることが好ましい。
【００１９】
図では単一の吸入部分１５０を示しているが、温度調節装置１００を、ヘッダ部分１０４に沿って複数の吸入部分が配置された形とすることも可能であろう。その場合、各吸入部分は、熱媒体供給ホース１６５が挿入されていない状態では、密封された状態にしておく。このようにすれば、温度調節装置１００は、更に柔軟性を有したものとなるだろう。
【００２０】
温度調節装置は、患者の下に敷くストリップ部分を少くとも１つ、一対の伸長部分の間に配置した形で有することとしてもよい。例えば、図１Ａで示す装置では、患者の下に敷くストリップ部分１８０、１９０は、左伸長部分１０６と右伸長部分１０８との間に配置されている。患者の下に敷くストリップ部分１８０、１９０を設けることで、温度調節装置１００は、いっそう構造的に安定したものとなる。また、患者の下に敷くストリップ部分１８０、１９０は、患者から出る流体が、溜まったり、患者に接触したりすることを防ぐ。こうした流体は、患者の下の面に直接流れて、それから運び去られる。
【００２１】
図１Ａに図示するように、患者の下に敷くストリップ部分１８０、１９０は接合部分１４０によって接合されているので、膨張することがない。患者の下に敷くストリップ部分１８０、１９０は、いずれかの適切な材料から製造すればよい。例えば、患者の下に敷くストリップ部分１８０、１９０は、患者の身体と接触に適した何らかの柔らかい材料から製造することができる。患者の下に敷くストリップ部分１８０、l９０は、それぞれ、第１の材料層１１０、第２の材料層l２０から作られる。
【００２２】
図１Ｂは、本発明に関わるところの、熱媒体を患者に供給するための温度調節装置を、患者とともに、ふくらまされ、カバー部分が閉じられた状態で示す等角投影図である。そうして、本発明に関わるところの、熱媒体を患者に供給するための温度調節装置の操作については、図１Ｂを見れば容易に理解できる。操作時、温度調節の必要な患者１（低体温又は体温異常の症状が表れている、あるいは外科的処置を受けている患者）は、温度調節装置１００内に縦に寝かされる。患者の頭または足が、ヘッダ部分１０４の周辺に置かれる。頭と足とのどちらを置くかは、装置を使用する際又は患者の体の特定部位にアクセスする必要がある場合に最も都合のよい位置によって決まる。この時、患者の下に敷くストリップ部分１８０、１９０の上に、患者１を乗せる形とするように留意しなければならない。患者の身体へアクセスする必要がない場合は、カバー部分１７０を患者の身体の上に掛ける。カバー部分１７０は、複数のフラップから成る構造なので、患者の身体の別々の部位に選択的にアクセスすることも可能である。熱媒体供給ユニット１６０（図示せず）によって供給された熱媒体は、熱媒体供給ホース１６５を通り、適当なコネクタ（すなわち、直角コネクタ）を介して吸入部分１５０へと入っていく。そうして、吸入部分１５０に入った熱媒体は、ヘッダ部分１０４、左伸長部分１０６、右伸長部分１０８を含む中間供給スペース１０２をふくらませる。そして、熱媒体は、左伸長部分l０６と右伸長部分１０８とに設けられた複数の開口部１３０を通して患者に供給される。
【００２３】
図１（Ｂ）に示す患者１は子供であるが、本発明に関わるところの、熱媒体を患者に供給するための温度調節装置は、身長や年齢には関わりなく、どのような患者にも同じように適用できる。なお、留意すべきこととして、使用する媒体の温度の設定は、どのような効果を期待するかによって異なる。低体温の症状が表れた患者や外科的処置を受けている患者の場合は、暖めた媒体に患者を浸すのが望ましい。異常体温の症状が表れた患者であれば、冷やした媒体に患者を浸すことが望ましい。さらに、好適な実施の形態においては、熱媒体として暖めた空気を使用しているが、本発明による温度調節装置では、いかなる熱媒体も使用可能である。
【００２４】
ふくらませたうえで患者の上に置かなければならなかったり、ふくらませる前に患者を中に寝かさなければならない、従来の患者熱処置システムとは異なり、本発明による温度調節装置は、柔軟な操作性を有する。本発明の温度調節装置において効果的なのは、望みとあれば、あらかじめ装置内に患者を寝かせておいて、必要な場合にのみ装置を膨らませることが可能であり、その際には、患者を動かしたり装置を調整したりする必要がない、という点である。それと同時に、本発明による温度調節装置患者では、ふくらませたうえで患者を中に寝かせることも可能である。このように使い方が選択できるため、患者の体温調節を行いながら、それと平行して他の作業を行うこともできる。このように、本発明による温度調節装置は、柔軟な操作性を有している。
【００２５】
既に述べた通り、温度調節装置１００は第１の材料層１１０を有する。そして、図２は、本発明に関わるところの、熱媒体を患者に供給するための温度調節装置を示す平面図である。具体的に言えば、第１の材料層１１０は、全体にわたって多数の開口部を有しており、その開口部は、第１の複数開口部２００と第２の複数開口部２１０とがある。留意すべき点は、吸入部分１５０が第２の複数開口部２１０よりも第１の複数開口部２００に近い位置に置かれている、ということである。本発明によるところの、熱媒体を患者に供給する温度調節装置は、第１及び第２の複数開口部を有し、第１の複数開口部は第２の複数開口部よりも小さくなっている。図の例で言えば、第１の複数開口部２００は第２の複数開口部２１０よりも小さい。そのため、第１の複数開口部２００を介して患者に供給される熱媒体は低流量となり、第２の複数開口部２１０を介して患者に供給される熱媒体は高流量となる。さらに、吸入部分の近傍に配置された小さい方の開口部と吸入部分から遠い位置に配置された大きい方の開口部とを組み合わせて使用することで、一対の伸長部分に沿って発生するおそれのある熱勾配を、最小限に抑える効果がある。
【００２６】
具体的に言うと、熱媒体が温度調節装置を通過するうちに、媒体が流れる様々な通り道にそって、第１及び第２の材料層を介して熱伝導が生じる。それによって、患者の体温調節は、従来の患者熱処置システムの場合よりも均一になる。留意すべき点は、第１の複数開口部２００と第２の複数開口部２１０と間の遷移点が、一対の伸長部分沿いのどの位置でも生じうる、ということである。この遷移点は、多くの熱力学要因によって決まる。その要因には、開口部の大きさの違い、入って来る熱媒体の温度、室温、熱媒体の体積流量、伸長部分の長さ、そして材料層１１０、１２０の熱特性などがあるが、これらに限定される訳ではない。本発明に関わるところの、熱媒体を患者に供給するための温度調節装置の好適な実施の形態では、第一の複数開口部２００と第２の複数開口部２１０との間の遷移点は、一対の伸長部分のほぼ中間の位置で発生する。なお、念のために言えば、どのような遷移点を利用しても、本発明をより幅広い観点から見た場合の範囲を逸脱することはない。また、開口部のサイズ決定、間隔決め、配置といった他の構成については、本発明をより幅広い観点から見た場合の範囲内で考慮することが可能、と考えるべきである。
【００２７】
本発明によるところの、熱媒体を患者に供給する温度調節装置のカバーは、複数のフラップ部分から成る。例えば、図２に示す温度調節装置１００は、第１カバーフラップ部分２２０、第２カバー・フラップ部分２３０、そして第３カバーフラップ部分２４０を含む。複数のフラップ部分を使用することで、温度調節装置１００の使用中にも、患者の身体の部位毎に選択的にアクセスすることができる。
【００２８】
図３Ａは、図２の中で参照番号３Ａを付加されたエリアの部分拡大断面図であり、図３Ｂは、図２の中で参照番号３Ｂを付加されたエリアの部分拡大断面図である。第１の複数開口部２００と第２の複数開口部２１０との相対的な大きさの違いは、図３Ａ及び３Ｂを見れば明らかである。もちろん、第１の複数開口部及び第２の複数開口部の相対的なサイズは、多くの熱力学的要因に応じて変わってくる。そうした要因としては、第１の複数開口部と第２の複数開口部との間の遷移点、入って来る熱媒体の温度、室温、熱媒体の体積流量、伸長部分の長さ、そして材料層１１０、１２０の熱特性などがあるが、これらに限定される訳ではない。本発明に関わるところの、熱媒体を患者に供給するための温度調節装置の好適な実施の形態では、第１の複数開口部２００は直径が０．０６インチであるのに対し、第２の複数開口部２１０の直径は０．０９インチである。
【００２９】
本発明によるところの、熱媒体を患者に供給するための温度調節装置の製造方法については、図４Ａを参照しながら説明するのが最適である。第１及び第２の材料層１１０、１２０は、互いに面対称の状態となっている。ただし、第１の材料層１１０には、全体にわたって複数の開口部１３０が設けられている。製造工程では、先ず、第１の材料層１１０が第２の材料層１２０の上に乗せられる。次いで、接合部分１４０に沿って熱が加えられ、第１及び第２の材料層１１０、１２０はこれら接合部分で接合されて一体になる。そうして、第１及び第２の材料層１１０、１２０の間には膨張型の中間供給スペース１０２が形作られる。同様に、患者の下に敷くストリップ部分１８０、１９０及びカバー部分１７０のエッジ部分にも熱が加えられ、第１及び第２の材料層１１０、１２０は、接着されて一つになる。このように、２つの部品だけを熱接合するプロセスによって、製造に要する時間とコストとを大きく抑制することができる。
【００３０】
本発明によるところの、熱媒体を患者に供給する温度調節装置の好適な実施の形態では、第１及び第２の材料層の少くとも一方は、外部表面層とコーティング層とを有する。例として、図４Ｂは、本発明による図４Ａの中で参照番号４Ｂが付加されたエリアの拡大部分断面を示す。
【００３１】
図４Ｂが示すのは、第１の材料層１１０の拡大部分断面図である（分かりやすくするために開口部は省略してある）。図に示すように、第１の材料層１１０は、外部表面層４００とコーティング層４１０とを有する。外部表面層４００及びコーティング層４１０は、いずれかの適切な材料から製造すればよい。例えば、外部表面層４００については、患者の身体との接触に適した何らかの柔らかい材料から製造すればよい。また、コーティング層４１０については、膨張を考慮に入れて、何らかの非透水性材料から製造することができる。なお、外部表面層４００は、スパンボンドポリプロピレンから製造することが望ましい。また、コーティング層４１０は、ポリエチレンから製造することが望ましい。そうすると、加熱された際には、第１の材料層１１０のポリエチレンと第２の材料層１２０のポリエチレンとが接合される。さらに、これらの材料を使用することで、使用前の状態では折りたたんでコンパクトに格納することができる、改良型の患者治療用温度調節装置が実現できる。
【００３２】
図５は、本発明に関わるところの、熱媒体を患者に供給するための温度調節装置に関する別の実施の形態を、ふくらまされた状態で示す等角投影図である。この別の実施の形態５００では、左伸長部分１０６及び右伸長部分１０８は、それぞれ、２つに分かれた流体供給部分に区分けされている。左伸長部分１０６は、外側の左伸長部分５０２と内側の左伸長部分５０４とから成り、一方、右伸長部分l０８は、外側の右伸長部分５０８と内側の右伸長部分５０６とから成る。外側の部分と内側の部分とは、仕切り５０１によって区分けされている。開口部１３０は、内側の部分５０４、５０６にだけ設けられている。そうして、熱媒体は、内側の部分５０４、５０６だけを介して患者に供給される。外側の部分５０２、５０８を通過した熱媒体は、温度調節装置５００の底面に配置された出口開口部５１０を通って放出される。留意すべき点は、内側部分と外側部分との間では、仕切り５０１にある穴５１２を介して、流体の出入りが行われるということである。区分けした伸長部分を出口開口部と併せて使用することで、温度調節装置５００内の熱媒体がより規則正しく補給されることになり、それによって、熱媒体の淀みを防止できる。
【００３３】
図５は、また、ヘッダ部分１０４沿いに置かれる吸入部分１５０についても、別の配置位置を示している。この実施の形態では、熱媒体供給ホース１６５が、ヘッダ部分１０４の終端位置に配置されている。この構成によれば、ヘッダ部分１０４の大多数に沿って、患者に自由にアクセスすることが可能となる。
【００３４】
詳細な説明の中で示したように、本発明に関わる患者治療用の温度調節装置によれば、先行技術に見られた問題点や不都合は、そのうち１つ以上が実質的に解消されることとなる。文章による説明や特許請求の範囲、並びに添付の図面において具体的に指摘したように、その新規な構成によって、コストが低く、製造が容易で、柔軟な操作性を備えた患者治療用温度調節装置を提供できると共に、より均一な熱治療を実現できる。
【００３５】
本発明による患者処理用の温度調節装置については、本発明の思想や範囲から逸脱しない形での様々な変更や変形が可能であることは、当業者の目には明らかであろう。したがって、本発明は、特許請求の範囲並びにその均等物の範囲内に収まるという条件を満たす形で当該発明に加えられる変更や変形についても、本発明に含まれるものとする。
【図面の簡単な説明】
添付の図面は、本発明の更なる理解を実現するためのものであり、本明細書の一部を構成している。これらは、本発明の実施の形態を図示すると共に、文章による説明と組み合わせることで、本発明の原理の説明に役立っている。その図面とは以下のものである。
【図１】（Ａ）  本発明に関わるところの、熱媒体を患者に供給するための温度調節装置の好適な実施の形態を、ふくらまされた状態で示す等角投影図である。
（Ｂ）  本発明に関わるところの、熱媒体を患者に供給するための温度調節装置の好適な実施の形態を、患者とともに、ふくらまされ、カバー部分が閉じられた状態で示す等角投影図である。
【図２】  本発明に関わるところの、熱媒体を患者に供給するための温度調節装置の好適な実施の形態を示す平面図である。
【図３】（Ａ）  本発明に関わる図２の中で参照番号３Ａを付加されたエリアの部分拡大断面図である。
（Ｂ）  本発明に関わる図２の中で参照番号３Ｂを付加されたエリアの部分拡大断面図である。
【図４】（Ａ）  本発明に関わる図１Ａに示した線４Ａ−４Ａに沿った箇所の拡大断面図である。
（Ｂ）  本発明に関わる図４Ａの中で参照番号４Ｂを付加されたエリアの部分拡大断面図である。
【図５】  本発明に関わるところの、熱媒体を患者に供給するための温度調節装置に関する別の実施の形態を、ふくらまされた状態で示す等角投影図である。
【図１】
0004072320.tif 000002
【図２】
0004072320.tif 000003
【図３】
0004072320.tif 000004
【図４】
0004072320.tif 000005
【図５】
0004072320.tif 000006